(57)【要約】【課題】第１越流堰における被処理水の偏流が発生し難い浄化槽を提供すること。【解決手段】沈殿槽５を設けると共に、沈殿槽５からの被処理水Ｗが越流する第１移流部１２を、浄化槽本体の幅方向に複数設けた第１越流堰１０と、被処理水Ｗが下流側に越流する第２移流部を設けた第２越流堰とを備えた上方開放型の集水箱９を設けてある浄化槽１であって、第１移流部１２の下端を、第２移流部の越流高さよりも低い位置に設けてある浄化槽１。【選択図】図１
2008246329.tif 000002
【特許請求の範囲】
【請求項１】
沈殿槽を設けると共に、前記沈殿槽からの被処理水が越流する第１移流部を、浄化槽本体の幅方向に複数設けた第１越流堰と、前記被処理水が下流側に越流する第２移流部を設けた第２越流堰とを備えた上方開放型の集水箱を設けてある浄化槽であって、
前記第１移流部の下端を、前記第２移流部の越流高さよりも低い位置に設けてある浄化槽。
【請求項２】
前記第１移流部が、開口部によって構成されており、前記開口部の上端が、前記第２移流部よりも高い位置にある請求項１に記載の浄化槽。
【請求項３】
前記開口部が、その上端の幅と下端の幅とが略同じ長さを有するスリット形状である請求項２に記載の浄化槽。
【発明の詳細な説明】
【技術分野】
【０００１】
本発明は、沈殿槽を設けると共に、前記沈殿槽からの被処理水を越流させる第１越流堰と、下流側に越流させる第２越流堰とを備えた上方開放型の集水箱を設けてある浄化槽に関する。
【背景技術】
【０００２】
図１３は、従来の一般的な浄化槽１の側断面を模式的に示したものである。浄化槽１には、上流側から第１嫌気濾床槽２、第２嫌気濾床槽３、接触曝気槽４、沈殿槽５、及び消毒槽６が順に配置されている。
被処理水Ｗ（し尿、生活雑排水等）は、流入口７から流入し、以降、第１嫌気濾床槽２、第２嫌気濾床槽３、接触曝気槽４において順次浄化処理された後、沈殿槽５に流入する。
沈殿槽５に流入した被処理水Ｗは、汚泥が沈殿分離され、その上澄み液が、上方開放型の集水箱９の第１越流堰１０における第１移流部１２を越流して集水箱９内に流入する。
次いで、集水箱９内に流入した被処理水Ｗは、集水箱９の第２越流堰１１における第２移流部１３を越流して、消毒筒１４内の消毒剤と接触して消毒された後、消毒槽６を経て、放流口８から放流される。
図１４は、図１３における集水箱９とその周辺部分（以下、要部と略称する）を拡大して示したものである。
尚、図１４に示すように、第１移流部の下端１２ａは、第２移流部１３よりも高い位置に設けられており、被処理水Ｗが、消毒槽６へ自然勾配で流入する構成となっている。
図１５及び図１６は、従来の浄化槽１において、被処理水Ｗが、第１越流堰１０における複数の第１移流部１２（Ｖノッチ）を越流する様子を示したものである。
尚、図１５（イ）及び図１６（イ）は、第１越流堰１０を、被処理水Ｗが越流する方向からみたときの側面を模式的に示したものであり、図１５（ロ）及び図１６（ロ）は、被処理水Ｗが、第１越流堰１０の第１移流部１２を越流する様子を示した平面図である（矢印は、被処理水Ｗの流れを示し、その長さによって、越流する被処理水量の程度を示す）。
図１５は、第１越流堰１０が水平状態となっており（即ち、浄化槽１が水平に設置されている）、沈殿槽５を経た被処理水Ｗが、第１越流堰１０の幅方向全体にわたって均等に越流する様子を示している（即ち、各Ｖノッチにおいて、それぞれ一定量の被処理水Ｗが越流する）。
一方、図１６は、第１越流堰１０が少し傾斜しており（即ち、浄化槽１が少し傾いた状態で設置されている）、第１越流堰１０において、被処理水Ｗの偏流が発生している様子を示している（即ち、被処理水Ｗが越流するＶノッチもあれば、越流していないＶノッチも存在し得、各Ｖノッチにおいて越流する被処理水量が一定していない）。
図１６のように、第１越流堰において偏流が発生した場合、沈殿槽における汚泥の沈殿が妨げられて、汚泥が消毒槽に流入してしまい、そのまま放流される問題が生じ得る。
従って、そのような第１越流堰における被処理水の偏流を防止するため、被処理水が第１越流堰の幅方向全体にわたって均等に越流するように、第１越流堰は、略水平とされている必要があるが、浄化槽を埋設する地盤等の影響によって、浄化槽自体が傾いてしまい、第１越流堰を水平に設置するのが非常に困難となる場合がある。
そこで、このような問題を解決するため、被処理水を越流させる第１移流部を多数形成した第１越流堰を備える集水箱を、浄化槽の幅方向中央部に回転調節自在に取付け、浄化槽の姿勢とは無関係に第１越流堰を水平調節することが可能な浄化槽が提案されている。（特許文献１参照）
【０００３】
【特許文献１】実開昭５７−８６６９３号公報
【発明の開示】
【発明が解決しようとする課題】
【０００４】
しかしながら、上記従来の浄化槽において、第１越流堰の水平具合を確認し、集水箱の傾きを調節するという作業は、保守点検をする作業者にとっては、時間のかかる面倒な作業であった。
本発明は、上記実情に鑑みてなされたものであって、第１越流堰における被処理水の偏流が発生し難い浄化槽を提供するものである。
【課題を解決するための手段】
【０００５】
本発明の第１特徴構成は、沈殿槽を設けると共に、前記沈殿槽からの被処理水が越流する第１移流部を、浄化槽本体の幅方向に複数設けた第１越流堰と、前記被処理水が下流側に越流する第２移流部を設けた第２越流堰とを備えた上方開放型の集水箱を設けてある浄化槽であって、前記第１移流部の下端を、前記第２移流部の越流高さよりも低い位置に設けてある点にある。
〔作用及び効果〕
図１１及び図１２は、本発明の浄化槽１において、被処理水Ｗが、第１越流堰１０における複数の第１移流部１２（Ｖノッチ）を越流する様子を模式的に示したものである。
図１１は、本発明の浄化槽１における集水箱９及びその周辺の側断面を模式的に示したものである。
図１２（イ）は、第１越流堰１０を、被処理水Ｗが越流する方向からみたときの側面を模式的に示したものであり、図１２（ロ）は、被処理水Ｗが、第１越流堰１０の第１移流部１２を越流する様子を示した平面図である（矢印は、被処理水Ｗの流れを示し、その長さによって、越流する被処理水量の程度を示す）。
ここで、本発明の浄化槽１が、少し傾いた状態で設置されており、第１越流堰１０が少し傾斜している場合（図１２（イ）参照）、図１１に示されるように、本発明の浄化槽１においては、第１移流部の下端１２ａを、第２移流部１３の越流高さよりも低い位置に設けてあるので、少なくとも第１移流部の下端１２ａは、被処理水Ｗの水面下に常に水没することになる。
そのため、図１２に示されるように、本発明の浄化槽１においては、仮に浄化槽本体が傾き、その第１越流堰１０が少し傾斜してしまった場合においても、左端側の第１移流部１２と右端側の第１移流部１２との間で大きな越流量の差が生じ難く（即ち、全ての第１移流部１２から被処理水Ｗが越流するという状態を維持し易い）、第１越流堰１０における被処理水Ｗの偏流が発生し難い。
従って、作業者が保守点検を行う際、従来の浄化槽のように、第１越流堰の水平具合を確認して集水箱の傾きを調節するといった面倒な作業を特に実施する必要がない。
尚、本発明における上方開放型の集水箱とは、点検時に集水箱の上方が開放されるものであれば良く、常時は蓋等で覆われていても良い。
【０００６】
本発明の第２特徴構成は、前記第１移流部が、開口部によって構成されており、前記開口部の上端が、前記第２移流部よりも高い位置にある点にある。
〔作用及び効果〕
第１移流部が、開口部によって構成されており、その開口部の上端は、第２移流部よりも高い位置にあるため、被処理水の水面下に水没することはない。従って、作業者にとっては、被処理水が、開口部を通って集水箱内に流れ出て行く様子を目視で観察し易く、開口部に汚泥等による詰まりが生じていないかどうかを容易に確認することができる。
また、仮に、開口部に詰まりが生じてしまった場合でも、被処理水の水位が上昇したときに、被処理水がその詰まり部分を越流することによって、詰まりを構成する汚泥等が容易に崩れ得るので、詰まりが解消され易い。
【０００７】
本発明の第３特徴構成は、前記開口部が、その上端の幅と下端の幅とが略同じ長さを有するスリット形状である点にある。
〔作用及び効果〕
開口部を、その上端の幅と下端の幅とが略同じ長さを有するスリット形状とすることによって、浄化槽本体が傾き、その第１越流堰が少し傾斜してしまった場合においても、第１越流堰における被処理水の偏流が、従来のＶノッチ形状の場合よりも発生し難い。
【発明を実施するための最良の形態】
【０００８】
以下に本発明の実施の形態を図面に基づいて説明する。
〔実施形態〕
図１は、本発明の浄化槽１の側断面を模式的に示したものである。浄化槽１には、上流側から第１嫌気濾床槽２、第２嫌気濾床槽３、接触曝気槽４、沈殿槽５、及び消毒槽６が順に配置されている。
被処理水Ｗ（し尿、生活雑排水等）は、流入口７から流入し、以降、第１嫌気濾床槽２、第２嫌気濾床槽３、接触曝気槽４において順次浄化処理された後、沈殿槽５に流入する。
沈殿槽５の上方には、沈殿槽５からの被処理水Ｗが越流する第１移流部１２を設けた第１越流堰１０と、被処理水Ｗが下流側に越流する第２移流部１３を設けた第２越流堰１１とを備えた上方開放型の集水箱９が設けられている（図１及び図２参照）。
【０００９】
図２〜図４は、図１における集水箱９とその周辺部分（以下、要部と略称する）を拡大して、より詳細に示したものである。図２は、第１越流堰１０を記載した要部の斜視図であり、図３は要部の平面図であり、図４は、図３の矢視線Ｘ−Ｘにおける要部の側断面図であり、各矢印は被処理水Ｗが流れる方向を示している。
図２〜図４に示されるように、第１越流堰１０には、沈殿槽５からの被処理水Ｗが越流し得る第１移流部１２が、浄化槽本体の幅方向に複数設けられており、第１移流部１２は、その上端１２ｂの幅と下端１２ａの幅とが略同じ長さを有するスリット形状の開口部によって構成されている。
図２〜図４に示されるように、沈殿槽５に流入し、汚泥が沈殿分離された被処理水Ｗは、集水箱９の第１越流堰１０における第１移流部１２（開口部）を越流して集水箱９内に流入する。
次いで、集水箱９内に流入した被処理水Ｗは、集水箱９の第２越流堰１１における第２移流部１３を越流して、エアリフト槽１５内に流入し、エアリフトポンプ１６によって、消毒筒１４が設置されている設置台１７に揚水されて、消毒筒１４内の消毒剤と接触して消毒された後、消毒槽６を経て、放流口８から放流される。
【００１０】
ここで、図４に示すように、第１移流部（開口部）の下端１２ａは、第２越流堰の第２移流部１３の越流高さよりも低い位置に設けられている。
そのため、本発明の浄化槽１においては、浄化槽１の連続運転の間（即ち、被処理水が流入口より連続的に流入し、且つ連続的に放流口から放流される）、各第１移流部の下端１２ａは、被処理水Ｗの水面下に常に水没する構成となる。
従って、本発明の浄化槽１においては、仮に浄化槽本体が傾き、その第１越流堰１０が少し傾斜してしまった場合においても、第１越流堰１０における左端側の第１移流部１２と右端側の第１移流部１２との間で大きな越流量の差が生じ難く（即ち、全ての第１移流部１２から被処理水Ｗが越流するという状態を維持し易い）、第１越流堰１０における被処理水Ｗの偏流が発生し難い。
従って、作業者が保守点検を行う際、従来の浄化槽のように、第１越流堰１０の水平具合を確認して集水箱９の傾きを調節するといった面倒な作業を特に実施する必要がない。
【００１１】
また、図４に示すように、第１移流部（開口部）の上端１２ｂは、第２移流部１３よりも高い位置に設けられている。
そのため、第１移流部（開口部）の上端１２ｂは、被処理水Ｗの水面下に水没することはない。従って、作業者にとっては、被処理水Ｗが、第１移流部１２（開口部）を通って集水箱９内に流れ出て行く様子を目視で観察し易く、第１移流部１２（開口部）に汚泥等による詰まりが生じていないかどうかを容易に確認することができる。
また、仮に、第１移流部１２（開口部）に詰まりが生じてしまった場合でも、被処理水Ｗの水位が上昇したときに、被処理水Ｗがその詰まり部分を越流することによって、詰まりを構成する汚泥等が容易に崩れ得るので、詰まりが解消され易い。
【００１２】
〔その他の実施形態〕
１．上述の実施形態においては、第１移流部が、その上端の幅と下端の幅とが略同じ長さを有するスリット形状の開口部によって構成され、その下端が、第２越流堰の第２移流部よりも低い位置に設けられており、且つその上端が、第２移流部よりも高い位置に設けられているものとしているが、こうした形状や構成に限定されるものではない。
例えば、図５（イ）に示されるように、第１移流部１２の形状については、円形や、多角形（三角形、四角形）等、被処理水が越流可能であれば任意の形状を有し得る。また、第１移流部１２全体が、第２移流部よりも低い位置に設けられている構成であっても良いし、集水箱９の底面に設けられている構成であっても良い。これらの場合、第１越流堰の傾きの影響をほとんど受けなくすることができる。
また、図５（ロ）及び（ハ）に示されるように、第１移流部１２の形状を、上部開放型のスリット形状又はＶノッチ形状として、その下端１２ａが、第２越流堰の第２移流部よりも低い位置に設けられている構成であっても良い。
また、図５（ニ）に示されるように、第１移流部１２の形状が、水没部の面積が広くなるような形状であれば、第１越流堰の傾きの影響をより少なくすることができる。
２．本発明の浄化槽における集水箱９の形状は、上述の実施形態に限定されるものではなく、集水箱９への被処理水の流入速度をできるだけ均一にすることができる形状であることが好ましい。
例えば、図６（イ、ロ：斜視図、ハ：平面図）に示されるように、第１移流部１２の開口面積を、第２移流部１３に近いものほど小さく構成したものでも良い。尚、図６（イ）は、第１移流部１２の幅を、第２移流部１３に近いものほど狭く構成したものであり、図６（ロ）は、第１移流部１２の高さを、第２移流部１３に近いものほど低く構成したものを示す。
また、図７（イ：斜視図、ロ：平面図）に示されるように、隣接する第１移流部１２の間隔を、第２移流部１３に近いものほど広くなるように構成したものでも良い。
また、図８（イ：斜視図、ロ：平面図）に示されるように、集水箱９の幅を、第２移流部１３に近いほど広くなるにように構成したものでも良い。
また、図９（斜視図）に示されるように、集水箱９の深さを、第２移流部１３に近いほど深くなるにように構成したものでも良い。
また、図１０（イ：斜視図、ロ：平面図）に示されるように、第２移流部１３に近い第１移流部１２との間に整流板１８（被処理水を迂回させるための邪魔板）を設ける構成としても良い。
あるいは、上述の図６〜図１０に記載される構成を、必要に応じて任意に組み合わせて構成するようにしても良い。（尚、図６〜図１０における矢印は、被処理水の流れを示す）。
３．上述の実施形態においては、第２移流部は、越流堰の構成としたが、集水箱に水平方向から接続した管体の構成としても良く、この場合、管体の開口の下端部が第２移流部の越流高さとなる。
４．上述の実施形態においては、エアリフトポンプを着脱自在に設ける構成としても良い。また、エアリフトポンプを設ける構成とせず、自然移流によって被処理水を消毒槽に流入させる構成としても良い。
【図面の簡単な説明】
【００１３】
【図１】本発明の浄化槽の側断面を模式的に示した図
【図２】本発明の浄化槽の要部を拡大した斜視図
【図３】本発明の浄化槽の要部を拡大した平面図
【図４】本発明の浄化槽の要部を拡大した側断面図
【図５】本発明の浄化槽における第１移流部についてのその他の形状を模式的に示した図
【図６】本発明の浄化槽における集水箱についてのその他の形状を模式的に示した図
【図７】本発明の浄化槽における集水箱についてのその他の形状を模式的に示した図
【図８】本発明の浄化槽における集水箱についてのその他の形状を模式的に示した図
【図９】本発明の浄化槽における集水箱についてのその他の形状を模式的に示した図
【図１０】本発明の浄化槽における集水箱についてのその他の形状を模式的に示した図
【図１１】本発明の浄化槽における集水箱及びその周辺の側断面を模式的に示した図
【図１２】本発明の浄化槽において、被処理水を越流させるＶノッチ（第１移流部）を多数形成した第１越流堰を、被処理水が越流する方向からみたときの側面を模式的に示した図
【図１３】従来の一般的な浄化槽の側断面を模式的に示した図
【図１４】従来の浄化槽の要部を拡大した図
【図１５】水平状態にある従来の浄化槽において、被処理水が、第１越流堰を越流する様子を示した図
【図１６】傾いた状態にある従来の浄化槽において、被処理水が、第１越流堰を越流する様子を示した図
【符号の説明】
【００１４】
１  浄化槽
２  第１嫌気濾床槽
３  第２嫌気濾床槽
４  接触曝気槽
５  沈殿槽
６  消毒槽
７  流入口
８  放流口
９  集水箱
１０  第１越流堰
１１  第２越流堰
１２  第１移流部
１３  第２移流部
１４  消毒筒
１５  エアリフト槽
１６  エアリフトポンプ
１７  設置台
１８  整流板
【図１】
2008246329.tif 000003
【図２】
2008246329.tif 000004
【図３】
2008246329.tif 000005
【図４】
2008246329.tif 000006
【図５】
2008246329.tif 000007
【図６】
2008246329.tif 000008
【図７】
2008246329.tif 000009
【図８】
2008246329.tif 000010
【図９】
2008246329.tif 000011
【図１０】
2008246329.tif 000012
【図１１】
2008246329.tif 000013
【図１２】
2008246329.tif 000014
【図１３】
2008246329.tif 000015
【図１４】
2008246329.tif 000016
【図１５】
2008246329.tif 000017
【図１６】
2008246329.tif 000018